(57)【要約】      （修正有）【課題】果物のへたを確実に切断し、一個ずつ確実に摘果することができる果物の摘果器を提供する。【解決手段】鞘管本体に貫設、かつ内装した回転軸の一端に、一端を固定した固定刃を有する半截椀形の受け部を設け、また、この一端に、一端を固定した可動刃を備えた半截椀形の覆い部を設け、受け部の他端と、覆い部の他端を枢着し、回転軸の他端にハンドルを設け、ハンドルと回転軸で、覆い部を回転し、覆い部を、受け部に被嵌するとともに、回転動作時に、固定刃と、可動刃を、噛合い関係とする。【選択図】図２
0003161176.tif 000002
【実用新案登録請求の範囲】
【請求項１】
鞘管本体に貫設するように回転軸を内装し、この鞘管本体の一端に、その一端を固定した固定刃を有する半截椀形の受け部を設け、また、この回転軸の貫設した一端に、その一端を固定した可動刃を備えた半截椀形の覆い部を設け、この受け部の他端と、この覆い部の他端を枢着し、前記回転軸の他端にハンドルを設け、このハンドルと回転軸を介して、前記覆い部を回転し、この覆い部を、前記受け部に被嵌するとともに、この回転動作時に、前記固定刃と、可動刃を、噛合い関係とする構成とした果物の摘果器。
【請求項２】
請求項１に記載の果物の摘果器であって、
前記受け部の他端に設けた基板を、前記鞘管本体の一端に設けた杆体を介して、この鞘管本体の一端に間隔をおいて取付け、この間隔内に、前記覆い部の他端に設けた基板を、支持する構成とした果物の摘果器。
【請求項３】
請求項１に記載の果物の摘果器であって、
前記回転軸の可動限と、その後退限の構造を、前記回転軸に設けた覆い部の他端に設けた基板に開設した、対の半月状の切り溝と、この切り溝に貫設された前記鞘管本体の一端に設けた杆体と、で構成し、この杆体が、前記切り溝の一方の溝端部と、その他方の溝端部とに、停止することで、前記可動限と、その後退限とを規制する構成とした果物の摘果器。
【請求項４】
請求項１に記載の果物の摘果器であって、
前記受け部と、覆い部の内面側に、緩衝部材を設ける構成とした果物の摘果器。
【考案の詳細な説明】
【技術分野】
【０００１】
本考案は、蜜柑、八朔、伊予杆等の柑橘類、梨子、林檎等の仁果類、又は桃、サクランボ等の核果類、栗等の殻果類、果物等でなる果物の摘果器（採果具）に関する。
【背景技術】
【０００２】
高所の果物を的確、かつ傷めず、簡易に摘果する冶具は、一部で重宝されている。しかし、その大半は、鋏とネットの組合せ構造であり、摘果時において、果物同士の衝突で、大切な果物に傷を付けやすく、あまり好ましくないものである。また、操作レバーとか、ハンドルの操作で、ワイヤーの動作を介して、鋏を動作する構造であり、この鋏の操作に手間と、経験を要すること、また、ワイヤーの緊張と弛緩では、的確な動作が確保されないこと、等の弊害があった。これらの改良を従来技術から検討する。この従来技術を、以下、文献として説明する。
【０００３】
文献（１）は、実開平６−２３４１８号の「採果具」であり、この考案は、内面を柔軟材で形成した分割式の椀状体（抱持体）を、本杆の下に設けた操作レバーで開閉し、この開閉を介して、果物を採果することと、この採果時に、望ましくは、この抱持体に設けた刃物で枝を切断し、同時に抱持体で収穫する構造である。しかし、この考案は、ワイヤーと操作レバーを介して、抱持体を開閉操作する構造であり、この操作に手間と、経験を要すること、的確な動作が確保されない、等の弊害が考えられる。
【０００４】
文献（２）は、実開昭６３−１４５４２２号の「果実摘果装置」であり、この考案は、柄と、この柄の先端に設けた摘果リングと、この摘果リングに垂下した摘果網と、摘果リングに設けた鋏と、この鋏を操作する柄内に設けたワイヤー、及び操作レバーとで構造である。この考案の特徴と、改良点は文献（１）に準ずる。
【０００５】
また、文献（３）は、特開２００６−１０１７７５の「果実収穫装置」であり、この発明は、伸縮自在の竿と、この竿の先端に設けた果実の通過ができる枠部材と、この枠部材に回転自在に設けた椀形の捕獲部材と、この捕獲部材の一端に設けた刃物と、前記枠部材に設けた収容ネット（シュート部材）と、この捕獲部材を回転するワイヤー及びハンドルとで構成し、捕獲部材の回転で、果物をキャッチすると同時に、果物のへた（果梗）を切断して捕獲することを特徴とする。しかし、この発明は、ワイヤーとハンドルを介して、捕獲部材を回転し、かつ刃物を操作する構造であり、この操作に手間と、経験を要すること、的確な動作が確保されない、等の弊害が考えられる。
【０００６】
【特許文献１】実開平６−２３４１８号
【特許文献２】実開昭６３−１４５４２２号
【特許文献３】特開２００６−１０１７７５
【考案の概要】
【考案が解決しようとする課題】
【０００７】
前記文献（１）〜（３）は、摘果した果物を、大きな収容袋（ネット、抱持体、摘果網）に収容する構造であり、果物同士の衝突する虞があり、例えば、傷の発生と、品質・価格の低下等が考えられ、改良の余地がある。
【０００８】
また、この文献（１）〜（３）は、ワイヤーと、操作ハンドルとによる切断、及び摘果と、収容であり、前述の如く、この操作に手間と、経験を要すること、的確な動作が確保されない、等の弊害が考えられる。
【０００９】
上記に鑑み、本考案は、果物のへたを、確実に切断し、一個ずつ確実に摘果する構造を提供し、果物同士の衝突回避を図ることで、例えば、傷の発生と、品質・価格の低下等をなくすことを意図する。そして、また、本考案は、ハンドルの操作を介して、回転軸が回り、刃物によるへたの切断と、摘果とを、略同時で、かつ確実に行うこと、又は操作の簡便化と、何人も、経験なく、直ちに摘果作業ができる果物の摘果器の提供を意図する。さらに、本考案は、固定刃と可動刃との刃物の噛合いと、覆い部による受け部の被嵌との動作を、即ち、この果物の確実な切断と、収穫とを同時に実行すること、また、収穫時の果物の落下、摘果不良等の悪い状態を回避すること、等を意図する。
【課題を解決するための手段】
【００１０】
請求項１に記載の考案は、前記に記載の如く、［イ］  果物のへたを、確実に切断し、一個ずつ確実に摘果する構造を提供し、果物同士の衝突回避を図ることで、例えば、傷の発生と、品質・価格の低下等をなくすことを意図する。［ロ］  ハンドルの操作を介して、回転軸が回り、刃物によるへたの切断と、摘果とを、略同時で、かつ確実に行うこと、又は操作の簡便化と、何人も、経験なく、直ちに摘果作業ができる果物の摘果器の提供を意図する。［ハ］  固定刃と可動刃との刃物の噛合いと、覆い部による受け部の被嵌との動作を、即ち、この果物の確実な切断と、収穫とを同時に実行すること、また、収穫時の果物の落下、摘果不良等の悪い状態を回避すること、等を意図する。
【００１１】
この請求項１は、鞘管本体に貫設するように回転軸を内装し、この鞘管本体の一端に、その一端を固定した固定刃を有する半截椀形の受け部を設け、また、この回転軸の貫設した一端に、その一端を固定した可動刃を備えた半截椀形の覆い部を設け、この受け部の他端と、この覆い部の他端を枢着し、前記回転軸の他端にハンドルを設け、このハンドルと回転軸を介して、前記覆い部を回転し、この覆い部を、前記受け部に被嵌するとともに、この回転動作時に、前記固定刃と、可動刃を、噛合い関係とする構成とした果物の摘果器とする。
【００１２】
請求項２に記載の考案は、前記［イ］〜［ハ］の意図を達成し、かつこの請求項２において、［ニ］  果物を収容する受け部の最適な構造を意図する。
【００１３】
この請求項２は、請求項１に記載の果物の摘果器であって、
前記受け部の他端に設けた基板を、前記鞘管本体の一端に設けた杆体を介して、この鞘管本体の一端に間隔をおいて取付け、この間隔内に、前記覆い部の他端に設けた基板を、支持する構成とした果物の摘果器とする。
【００１４】
請求項３に記載の考案は、前記［イ］〜［ハ］の意図を達成し、かつこの請求項３において、［ホ］  果物を覆う覆い部の回転を司る、回転軸の可動限と、その後退限の最適な構造を意図する。
【００１５】
この請求項３は、請求項１に記載の果物の摘果器であって、
前記回転軸の可動限と、その後退限の構造を、前記回転軸に設けた覆い部の他端に設けた基板に開設した、対の半月状の切り溝と、この切り溝に貫設された前記鞘管本体の一端に設けた杆体と、で構成し、この杆体が、前記切り溝の一方の溝端部と、その他方の溝端部とに、停止することで、前記可動限と、その後退限とを規制する構成とした果物の摘果器とする。
【００１６】
請求項４に記載の考案は、前記［イ］〜［ハ］の意図を達成し、かつこの請求項４において、［ヘ］  果物の収容を司る、受け部と、覆い部の内面側の最適な構造を意図する。
【００１７】
この請求項４は、請求項１に記載の果物の摘果器であって、
前記受け部と、覆い部の内面側に、緩衝部材を設ける構成とした果物の摘果器とする。
【考案の効果】
【００１８】
請求項１の考案は、鞘管本体に貫設するように回転軸を内装し、鞘管本体の一端に、一端を固定した固定刃を有する半截椀形の受け部を設け、また、回転軸の貫設した一端に、一端を固定した可動刃を備えた半截椀形の覆い部を設け、受け部の他端と、覆い部の他端を枢着し、回転軸の他端にハンドルを設け、ハンドルと回転軸を介して、覆い部を回転し、覆い部を、受け部に被嵌するとともに、回転動作時に、固定刃と、可動刃を、噛合い関係とする構成とした果物の摘果器とする。
【００１９】
従って、この請求項１は、前述した特徴を発揮できる。
［イ］  果物のへたを、確実に切断し、一個ずつ確実に摘果する構造を提供し、果物同士の衝突回避を図ることで、例えば、傷の発生と、品質・価格の低下等をなくし得る。
［ロ］  ハンドルの操作を介して、回転軸が回り、刃物によるへたの切断と、摘果とを、略同時で、かつ確実に行うこと、又は操作の簡便化と、何人も、経験なく、直ちに摘果作業ができる果物の摘果器を提供できる。
［ハ］  固定刃と可動刃との刃物の噛合いと、覆い部による受け部の被嵌との動作を、即ち、この果物の確実な切断と、収穫とを同時に実行できること、また、収穫時の果物の落下、摘果不良等の悪い状態を回避できること、等を備える。
【００２０】
この請求項２の考案は、請求項１に記載の果物の摘果器であって、
受け部の他端に設けた基板を、鞘管本体の一端に設けた杆体を介して、鞘管本体の一端に間隔をおいて取付け、間隔内に、覆い部の他端に設けた基板を、支持する構成とした果物の摘果器とする。
【００２１】
従って、請求項２は、前述した特徴を発揮できる。
［イ］〜［ハ］の意図を達成できる。
［ニ］  果物を収容する受け部の最適な構造を提供できる。
【００２２】
請求項３の考案は、請求項１に記載の果物の摘果器であって、
回転軸の可動限と、後退限の構造を、回転軸に設けた覆い部の他端に設けた基板に開設した、対の半月状の切り溝と、切り溝に貫設された前記鞘管本体の一端に設けた杆体と、で構成し、杆体が、切り溝の一方の溝端部と、他方の溝端部とに、停止することで、可動限と、その後退限とを規制する構成とした果物の摘果器とする。
【００２３】
従って、請求項３は、前述した特徴を発揮できる。
［イ］〜［ハ］の意図を達成できる。
［ホ］  果物を覆う覆い部の回転を司る、回転軸の可動限と、その後退限の最適な構造を提供できる。
【００２４】
請求項４の考案は、請求項１に記載の果物の摘果器であって、
受け部と、覆い部の内面側に、緩衝部材を設ける構成とした果物の摘果器とする。
【００２５】
従って、請求項４は、前述した特徴を発揮できる。
［イ］〜［ハ］の意図を達成できる。
［ホ］  果物の収容を司る、受け部と、覆い部の内面側に、緩衝部材を設ける構成とした果物の摘果器を提供できる。
【図面の簡単な説明】
【００２６】
【図１】摘果器の使用状態を示した縮尺斜視図
【図２】摘果器の全体を示した図であって、受け部に覆い部が噛合い、閉まった状態の斜視図
【図３】摘果器の全体を示した図であって、受け部から覆い部が離間し、開いた状態の斜視図
【図４−１】受け部に覆い部が離間し、開いた状態の正面図
【図４−１−１】図４−１の平面図
【図４−２】受け部に覆い部が離間し、開いた状態から、この覆い部が可動し、この可動の途中過程を示した正面図
【図４−３】受け部に覆い部が噛合い、閉まった状態の正面図
【図４−３−１】図４−１の平面図
【図５−１】鞘管本体とハンドルとの関係を示した要部の拡大斜視図
【図５−２】図５−１の断面図
【図６−１】鞘管本体に設けた受け部の基板と、覆い部の基板の関係を説明する拡大俯瞰図
【図６−２】図６−１の平面図
【図６−３】覆い部の他端に設けた基板を示してあり、この基板に設けた切り溝を示した平面図
【図７】他の摘果器（鞘管本体を長くした例）の使用状態を示した縮尺斜視図
【図８】他の摘果器の全体を示した図であって、受け部に覆い部が噛合い、閉まった状態の斜視図
【考案を実施するための形態】
【００２７】
以下、本考案の一実施例を説明すると、１は管状の鞘管本体で、その長さは、種々であり、例えば、図１に示した短いタイプと、図７に示した長いタイプとが考えられるが、果物Ｆの樹木の長さと、果物Ｆの成っている高さを考慮して決定する。また、軽量化、耐蝕性、耐汚染性、等を考慮し、例えば、アルミ材が好ましい。
【００２８】
この鞘管本体１の内には、回転軸２が貫設されている。この回転軸２の一端２ａ（下端）、他端２ｂ（上端）は、鞘管本体１の一端１ａ（下端）、他端１ｂ（上端）より突出する。そして、この回転軸２の一端２ａ（下端）には、鞘管本体１より大径の支持管３を介して、ハンドル５を着脱自在に設ける。従って、このハンドル５を回転することで、回転軸２が正逆回転する。また、この回転軸２の他端２ｂ（上端）は、鞘管本体１の他端１ｂ（上端）に設けた補助鞘管１００を貫設して設けるとともに、この補助鞘管１００と、後述する基板８００との間に間隔Ａを形成し、この間隔Ａで、かつ他端２ｂに重ねるようにして、半截椀形の覆い部６の椀形の一端６ａ（基端）に設けた基板６００を固着する。そして、この基板６００には、半月状の対の切り溝６０１、６０１を設ける。尚、この覆い部６に、半截椀形を形成する板状、又は図示しない紐状等の覆い部片６０２を複数条形成することで、果物Ｆを覆う構造を形成する。また、前記ハンドル５は、支持管３に設けた空洞に差込み、止め螺子を介して、回転軸２に固定する構造である。従って、ハンドル５を回転することで、回転軸２が正逆回転するとともに、この正逆回転で、覆い部６が同期し、後述する受け部８に被嵌、又は離間する構造となっている。さらに、後述する可動刃１３が正逆回転し、後述する固定刃１０に噛合い、又はこの可動刃１３と固定刃１０との間に空間Ｓ（果物ＦのへたＦ１が入る空間Ｓ）が構成される。
【００２９】
また、前記補助鞘管１００の上面に設けた前記基板６００の上に、フランジ７００、７００（対の場合は、一つの符号とする）を介して二本の杆体７、７を設け、この杆体７に半截椀形の受け部８の椀形の一端８ａ（基端）に設けた基板８００を設ける。そして、この基板８００と、覆い部６の基板６００との間に、前記フランジ７００を設けるとともに、この覆い部６の基板６００が動ける空間を形成する。また、この受け部８の椀形の他端８ｂ（自由端）「一端８ａに対峙し、その軸方向の椀形の他端である」には膨出部８０１ａを形成した基板８０１を設け、この基板８０１の内側８０１ｂには、固定刃１０を設ける構造である。また、この受け部８に、半截椀形を形成する板状、又は図示しない紐状等の受け部片８０２を複数条形成することで、果物Ｆを受ける構造を形成する。そして、前記杆体７は、前記覆い部６の基板６００に開設した切り溝６０１、６０１を貫設する構造である。
【００３０】
そして、覆い部６の椀形の他端６ｂ（自由端）「一端６ａに対峙し、その軸方向の椀形の他端である」には、基板６０３を形成する。この基板６０３は、前記受け部８の他端８ｂと重畳されており、この重畳した基板６０３、８０１を、止め杆１２で枢着する。また、この覆い部６の他端６ｂには、一方側（受け部８が位置する方向と、反対方向の側）に向かって突出したガイド片６０４を設ける。このガイド片６０４は前記膨出部８０１ａの外側に添接される。この添接により、このガイド片６０４の内側６０４ａに設けた可動刃１３と、前記固定刃１０が噛合う構造である。
【００３１】
以下、本考案の使用状態を説明すると、図４−１に示した、原則として、低所の果物Ｆを収穫する際に使用される構造であり、例えば、覆い部６が離間し、開いた状態では、基板６０３と、受け部８の基板８０１とは横一文字で、また、この図４−１では、図示しないが、基板６００と、受け部８の基板８００とは横一文字となっており、かつ覆い部６のガイド片６０４は、受け部８の膨出部８０１ａより離間している。このガイド片６０４の離間で、覆い部６に設けた可動刃１３と、受け部８の固定刃１０との間には、空間Ｓが形成されている。そこで、ハンドル５と、鞘管本体１とを、それぞれ片手で把持し、果物Ｆに近づけ、この受け部８に、果物Ｆを収容し、かつ前記空間Ｓに、そのへたＦ１を位置させる。この状態で、ハンドル５を回転し、この回転で回転軸２を回転すると、この回転軸２に固止する覆い部６の基板６００が回り始める（覆い部６の始動限から、可動限に至る）。この回転が始まると、この覆い部６の基板６００の切り溝６０１の始動限には、補助鞘管１００に立設した杆体７が存在する。しかし、順次、回転することで、この覆い部６と切り溝６０１は、杆体７をガイドとして、円周方向の軌跡（円弧軌跡）で正回転する（回転軸２の軸芯を支点として正回転し、可動限で停止する）。しかし、これと同時に、この覆い部６の基板６０３は、その始端限より終端限に至って、受け部８の基板８０１との間を枢着する止め杆１２を介して正回転する（止め杆１２を支点として正回転する）。
【００３２】
前述した、この覆い部６の両端（回転軸２側と、止め杆１２側）の正回転で、果物Ｆを収容するとともに、この基板６０３のガイド片６０４に設けた可動刃１３が可動し（始動限から、可動限に至り停止し）、受け部８の膨出部８０１ａに設けた固定刃１０と噛合することで、へたＦを切断する。この切断が終了した状態で、覆い部６が受け部８に被嵌され、切断かつ収穫された果物Ｆを収容する。
【００３３】
この収容した果物Ｆを、ハンドル５を操作することなく（動かすことなく）、手元か、収穫籠、ケース等の収容具（図示せず）に移動し、その後、ハンドル５を、回すと、前述の収容時における正回転とは、逆方向に回転（逆回転）し、覆い部６が戻り、受け部８の半截上半分は開放されるので、この開放部より果物Ｆを取出し、この収容具に収穫かつ収容する。尚、逆回転時の覆い部６、基板６０３、切り溝６０１等の動きは、逆方向であり、その説明は割愛する。また、切り溝６０１と止め杆１２との組合せ構造、及び覆い部６の基板６０４と、受け部８の基板８０１との間を止め杆１２で枢着する構造とで、覆い部６の確実な円弧軌跡、ズレ防止と、その動きとを図ること、又は受け部８との被嵌を達成すること、並びに可動刃１３と、固定刃１０との噛合を図ること、等を意図する。
【００３４】
尚、前記正逆回転は、説明の便宜上で示した操作であり、限定されない。また、果物Ｆを保護するためと、こぼれを無くすために、この受け部８、及び／又は、覆い部６との内面の一部、又は全部に緩衝部材（図示しない）を設けることも有りえる。
【００３５】
さらに、図７と、図８に示した他の摘果器は、前述した摘果器と同じ略構造であるが、その相違点は、鞘管本体１と回転軸２の軸方向の長さが、長身となっているであり、その他の構造と、使用及び操作の方法は、同じである。そして、この他の摘果器は、原則として、高所の果物Ｆを収穫する際に利用する。
【００３６】
尚、図中１５は鞘管本体１の適所に設けたグリップ緩衝材で、把持と操作時の緩衝と、スリップ防止、又はこの鞘管本体１を小径化した際の握り、操作等の容易性、安定性等の確保を図る。また、その素材は、スポンジ素材とするが、合成樹脂等の硬い素材も可能である。さらに、カラフルな色彩、識別性の色彩、或いは害獣、虫除け素材を利用することもできる。
【符号の説明】
【００３７】
１          鞘管本体
１ａ        一端（下端）
１ｂ        他端（上端）
１００      補助鞘管
２          回転軸
２ａ        一端（下端）
２ｂ        他端（上端）
３          支持管
５          ハンドル
６          覆い部
６ａ        一端（基端）
６ｂ        他端（自由端）
６００      基板
６０１      切り溝
６０２      覆い部片
６０３      基板
６０４      ガイド片
６０４ａ    内側
７          杆体
７００      フランジ
８          受け部
８ａ        一端（基端）
８ｂ        他端（自由端）
８００      基板
８０１      基板
８０１ａ    膨出部
８０１ｂ    内側
８０２      受け部片
１０        固定刃
１２        止め杆
１３        可動刃
１５        グリップ緩衝材
Ａ          間隔
Ｆ          果物
Ｆ１        へた
Ｓ          空間
【図１】
0003161176.tif 000003
【図２】
0003161176.tif 000004
【図３】
0003161176.tif 000005
【図４−１】
0003161176.tif 000006
【図４−１−１】
0003161176.tif 000007
【図４−２】
0003161176.tif 000008
【図４−３】
0003161176.tif 000009
【図４−３−１】
0003161176.tif 000010
【図５−１】
0003161176.tif 000011
【図５−２】
0003161176.tif 000012
【図６−１】
0003161176.tif 000013
【図６−２】
0003161176.tif 000014
【図６−３】
0003161176.tif 000015
【図７】
0003161176.tif 000016
【図８】
0003161176.tif 000017